(57)【要約】【課題】構造的に冷凍食品等を投入できないようにして利用者からクレームを防止することが可能な冷蔵庫を提供する。【解決手段】冷蔵庫本体と、該冷蔵庫本体上部に設置したロールボンドタイプの冷却器と、該冷却器の下部に冷却器より発生した水分を排水する露受皿と、前記冷却器からの冷気を自然対流によって循環する冷蔵庫にあって、前記冷却器前面には、遮蔽物を設置した。【選択図】図１
2016133281.tif 000002
【特許請求の範囲】
【請求項１】
冷蔵庫本体と、該冷蔵庫本体上部に設置したロールボンドタイプの冷却器と、該冷却器の下部に冷却器より発生した水分を排水する露受皿と、前記冷却器からの冷気を自然対流によって循環する冷蔵庫にあって、
前記冷却器前面には、遮蔽物を設置した、冷蔵庫。
【請求項２】
前記遮蔽物は、開閉可能に支持し、閉じた状態でロックするロック機構を備えた、請求項１記載の冷蔵庫。
【請求項３】
前記遮蔽物は、開閉可能に支持し、開いた状態でロックするロック機構を備えた、請求項１記載の冷蔵庫。
【請求項４】
前記ロック機構は、遮蔽物あるいは前記冷蔵庫本体の庫内の一方に係止ピンを取着し、前記庫内あるいは遮蔽物の他方に前記係止ピンと弾性的に係止する係止部を取着した、請求項３記載の冷蔵庫。
【請求項５】
前記ロック機構は、遮蔽物あるいは前記冷蔵庫本体の庫内の一方にマグネットを取着し、前記庫内あるいは遮蔽物の他方に前記マグネットに吸着する吸着材料を取着した、請求項３記載の冷蔵庫。
【請求項６】
前記冷却器は、奥側に下がる傾斜を持たせて取着した、請求項１記載の冷蔵庫。
【請求項７】
前記遮蔽物には、前記冷却器から生成される冷気を降下させる冷気循環孔を形成した、請求項１乃至５いずれか一項記載の冷蔵庫。
【発明の詳細な説明】
【技術分野】
【０００１】
この発明の実施形態は、冷蔵庫に関する。
【背景技術】
【０００２】
従来、冷蔵室庫内上部に冷却用のパイプに、冷却板を挟み込んだロールボンドタイプの冷却器を配して、上部からの自然対流により庫内を冷却する冷蔵庫が知られている。
【０００３】
しかし、このような冷蔵庫は、ホテルや病院向けに設置される収納内容積が５０〜１００Ｌ程度のものである。庫内は、冷蔵室のみの構造であるため製氷やアイスクリーム等の冷凍食品の貯蔵には不向きであった。このため、冷凍食品は入れないでほしい、旨のアナウンスがされているにもかかわらず入れてしまい、冷凍食品を溶かしてしまう、という課題は未だ解消されていない。
【先行技術文献】
【特許文献】
【０００４】
【特許文献１】特開２００６−３３６９８４号公報
【発明の概要】
【発明が解決しようとする課題】
【０００５】
この発明が解決しようとする課題は、構造的に冷凍食品等を投入できないようにして利用者からクレームを防止することが可能な冷蔵庫を提供することである。
【課題を解決するための手段】
【０００６】
実施形態の冷蔵庫は、冷蔵庫本体と、該冷蔵庫本体上部に設置したロールボンドタイプの冷却器と、該冷却器の下部に冷却器より発生した水分を排水する露受皿と、前記冷却器からの冷気を自然対流によって循環する冷蔵庫にあって、前記冷却器前面には、遮蔽物を設置した。
【図面の簡単な説明】
【０００７】
【図１】実施形態１にかかる冷蔵庫の正面図を示す。
【図２】図１の側断面図を示す。
【図３】実施形態２にかかる側断面図を示す。
【図４】実施形態２にかかる正面図を示す。
【図５】図３の要部拡大側断面図を示す。
【図６】図３の要部拡大側断面図を示す。
【図７】実施形態２の変形例の側断面図を示す。
【図８】図７の要部拡大の断面図を示す。
【図９】実施形態３にかかる冷蔵庫の側断面図を示す。
【図１０】実施形態４にかかる冷蔵庫の正面図を示す。
【発明を実施するための形態】
【０００８】
以下、この発明を実施するための形態について、図面を参照しながら詳細に説明する。なお、図中、同一または同等の部分には同一の符号を付す。
【０００９】
（実施形態１）
図１は、実施形態１を示す図で冷蔵庫の正面図である。図１は扉を開放した状態を示している。図２は、図１の扉を閉じた状態の側断面図である。
【００１０】
冷蔵庫本体１１は、外箱１２、内箱１３、それに外箱１２と内箱１３との間隙に充填された断熱材１４から構成されている。外箱１２は、薄鋼板で形成されている。内箱１３は、合成樹脂材で形成されている。断熱材１４は、発泡材が使用されている。これにより冷蔵庫本体１１は、断熱箱体による貯蔵室１５として形成される。冷蔵庫本体１１の前面には、ヒンジ１６で開閉可能な扉１７が取着されている。
【００１１】
冷蔵庫本体１１の背面側下方には、図２に示すように、機械室１８が設けられ、圧縮機１９が設置されている。貯蔵室１５内の上部には、冷却器２０が配置されている。圧縮機１９は、駆動により吐出した冷媒を凝縮し減圧することにより、冷却器２０で蒸発させ、冷気を生成する。冷却器２０で生成された冷気は、自然対流により降下する。さらに冷気は、冷気循環口２１などを介して図中の白抜きの矢印に示すように、下方へ流出し、貯蔵室１５内を、例えば、３℃の冷蔵温度に冷却する。
【００１２】
冷却器２０は、アルミニウム板の２枚の密着平板間に冷媒通路を膨管して形成した、いわゆるロールボンド型のものである。冷却器２０は、内箱１３の天板と側壁に、例えばフレームに収納した状態で、ネジなどの固着手段を用いて取着されている。
【００１３】
冷却器２０の下方には、冷却器下面に近接するように貯蔵室１５のほぼ全幅に亙って露受皿２２が配置されている。露受皿２２は、内箱１３に形成した受け部２３ａ，２３ｂとの間に架設されている。
【００１４】
冷却器２０の前面には、遮蔽物としての例えば樹脂製の遮蔽板２４が設置されている。遮蔽板２４は、内箱１３の天井に取着されている。冷却器２０で生成された冷気は、遮蔽板２４により邪魔されることなく、冷気循環口２１などを介して自然対流により降下する。
【００１５】
冷却器２０前面の遮蔽板２４は、利用者が扉１７を開けた場合に、冷却器２０を塞ぐ状態で配置されている。このため利用者は、冷凍食品を冷凍するには能力の低い貯蔵室１５に投入することを諦めざるを得ない状況となる。したがって、冷蔵専用の貯蔵室１５として適格な利用の実現が可能となる。なお、遮蔽板２４には、扉１７を開いた場合に、「冷凍食品のご利用はできません。」との内容のメッセージを書き入れることで、さらに冷凍食品を誤って投入する事態を防止することができる。
【００１６】
この実施形態は、ロールボンド型の冷却器を用いた冷蔵庫における利用者の冷凍食品の投入を確実に防ぐことが可能となる。これにより、冷凍食品の解凍によるクレームの事前処置を講じることが可能となる。
【００１７】
（実施形態２）
図３乃至図６は、実施形態２を示す。図３は側断面図を示し、図４は正面図を示し、図５および図６は図３の要部拡大側断面図を示す。
【００１８】
この実施形態は、開閉式の遮蔽板３１を冷却器２０の前面に配置したものである。遮蔽板３１は、内箱１３の天井に取着された基部３２にヒンジ３３を介して開閉自在に支持されている。ヒンジ３３が取着された反対側は、冷却器２０側にＬ状の曲げ部３４が一体的に形成されている。
【００１９】
さらに、図５に示すように、曲げ部３４の内側には、上向きに突起３４１が一体的に形成されている。露受皿２２の図中左方のコーナー部分には、下向きに凹み２２１が一体的に形成されている。曲げ部３４の内側コーナーは、露受皿２２の左方のコーナーの下側に入り込むような寸法関係に設計されている。
【００２０】
そこで、図６に示すように、遮蔽板３１を反時計方向に回動すると、曲げ部３４の突起３４１は、露受皿２２の一部にコーナーと当接する。遮蔽板３１を反時計方向に回動すると、突起３４１は、遮蔽板３１の弾性に抗してやや露受皿２２のコーナーに乗り上げる状態となる。さらに反時計方向に回動させると、突起３４１は、凹み２２１と嵌合する。これにより、遮蔽板３１は、突起３４１と凹み２２１によるロック機構によりロック状態を保持する。
【００２１】
なお、この場合の遮蔽板２４にも、扉１７を開いた場合に、「冷凍食品のご利用はできません。」との旨のメッセージを書き入れると、冷凍食品投入防止の効果が期待できる。
【００２２】
この実施形態では、遮蔽板を開閉可能とした。これにより、冷凍食品投入の予防に加え、冷却器のクリーニングなどのメンテナンス上の利便性の向上を図ることができる。
【００２３】
図７は、実施形態２の変形例を示す。図８は図７要部の拡大図を示す。この実施形態は、例えば冷却器２０を掃除するために、遮蔽板３１を開放した場合に、解放状態を保持するロック機構を設置した。
【００２４】
具体的には、図８に示すように、曲げ部３４の反対側の遮蔽板３１面上に係止ピン８１が取着されている。係止ピン８１は中央部に膨らみを備えている。内箱１３の天井には、弾性片を有する係止部８２が取着されている。係止ピン８１は、係止部８２の弾性片を押し広げ、係止ピン８１の膨らみ部分を係止部８２の弾性片で係止させることができる。
【００２５】
遮蔽板３１を図８の実線の位置から時計方向（破線の矢印）回動すると、遮蔽板３１の係止ピン８１は、係止部８２に達する。この位置から遮蔽板３１を時計方向にさらに回動すると、係止ピン８１は、係止部８２の弾性片の弾性に抗して係止し、この係止状態をロックする。
【００２６】
この場合は、開いた状態の遮蔽板３１をロックできるロック機構を備えたことから、冷却器のクリーニングなどのメンテナンス上でより利便性を得ることができる。
【００２７】
（実施形態３）
図９は、実施形態３にかかる冷蔵庫の側断面図を示す。
【００２８】
この実施形態は、冷却器２０を角θの傾斜を持たせて取着したものである。傾斜は、奥側に下がる方向に取着されている。露受皿２２は、冷却器２０の傾斜に伴い同傾斜の形状に形成される。露受皿２２の左方と内箱１３の天井の高さは、傾斜前のｈ１から傾斜後のｈ２の関係（ｈ１＞ｈ２）となる。したがって、露受皿２２の左方と内箱１３の天井の高さがｈ２の場合には、冷却器２０内に冷凍食品を投入できるスペースはなくなる。
【００２９】
ところで、冷却器２０に奥側に下がる傾斜を設けた場合、冷却器２０の前面からの冷気循環はしにくいものとなる。しかし、奥側への冷気の流れはよくなることから、下方への冷気循環を促進するために、冷却器２０や露受皿２２の形状を冷気循環しやすい構造や冷気循環孔を設けることで、スムースな冷気循環の流れを確保することができる。
【００３０】
この実施形態では、冷却器２０を奥側に下がる傾斜を持たせたことにより、冷却器２０へアクセスするスペースがなくなり、冷蔵庫の利用者が冷凍食品を投入することを防ぐことができる。
【００３１】
（実施形態４）
図１０は、実施形態４にかかる冷蔵庫の正面図を示す。
【００３２】
この実施形態は、冷却器２０から生成される冷気を降下させる冷気循環孔１０１を遮蔽板３１に形成したものである。なお、冷気循環孔１０１は、重さのある冷気を考慮して遮蔽板３１の下側に設けた場合、より冷気の自然循環の効率性の向上に寄与する。
【００３３】
その実施形態は、遮蔽板に冷気循環孔を設けたことにより、冷却器の前面側に遮蔽板を設けた場合による冷気循環の非効率性の解消を図ることができる。
【００３４】
上記の各実施形態に限定されるものではない。例えば、実施形態２の変形例として説明した遮蔽板３１の開放をロックする手段としての係止ピン８１と係止部８２は、マグネットにした場合でも同様の効果を奏する。この場合は、係止ピン８１と係止部８２のいずれか一方をマグネットにし、他方を鉄板などのマグネット吸着材料を設置する。
【００３５】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００３６】
１１  冷蔵庫本体
１２  外箱
１３  内箱
１４  断熱材
１５  貯蔵室
１７  扉
２０  冷却器
２１  冷気循環口
２２  露受皿
２２１  凹み
２４，３１  遮蔽板
３２  基部
３３  ヒンジ
３４  曲げ部
３４１  突起
８１  係止ピン
８２  係止部
１０１  冷気循環孔
【図１】
2016133281.tif 000003
【図２】
2016133281.tif 000004
【図３】
2016133281.tif 000005
【図４】
2016133281.tif 000006
【図５】
2016133281.tif 000007
【図６】
2016133281.tif 000008
【図７】
2016133281.tif 000009
【図８】
2016133281.tif 000010
【図９】
2016133281.tif 000011
【図１０】
2016133281.tif 000012